(57)【特許請求の範囲】
【請求項１】
フレームと、
前記フレーム上に設置される振動板と、
前記振動板の周縁を前記フレームに対して固定させるループ状の固定部材と、
前記固定部材に密着されることで、前記固定部材の内周側から外周側への水密を確保する保護部材と
を備え、
前記保護部材と前記固定部材との接触面積は、前記振動板と前記固定部材との接触面積よりも大きく、
前記固定部材は、前記固定部材の少なくとも一部分において、前記振動板に面する側から前記保護部材に面する側に向けて前記固定部材の内径が段階的に小さくなっていく形状を有していることを特徴とするスピーカ。
【請求項２】
前記保護部材に面する側の前記固定部材の内径は、前記振動板に面する側の前記固定部材の内径よりも小さいことを特徴とする請求項１に記載のスピーカ。
【請求項３】
前記固定部材は、前記固定部材の少なくとも一部分において、前記振動板に面する側から前記保護部材に面する側に向けて前記固定部材の内径が連続的に小さくなっていく形状を有していることを特徴とする請求項１に記載のスピーカ。
【請求項４】
前記固定部材は、内径が異なる複数のループ部材を含んでおり、
前記複数のループ部材は、前記振動板に面する側から前記保護部材に面する側に向けて、内径が大きい順に配置されることを特徴とする請求項１から３のいずれか一項に記載のスピーカ。
【請求項５】
フレームと、
前記フレーム上に設置される振動板と、
前記振動板の周縁を前記フレームに対して固定させるループ状の固定部材と、
前記固定部材に密着されることで、前記固定部材の内周側から外周側への水密を確保する保護部材と
を備え、
前記保護部材と前記固定部材との接触面積は、前記振動板と前記固定部材との接触面積よりも大きく、
前記固定部材は、前記固定部材の少なくとも一部分において、前記振動板に面する側から前記保護部材に面する側に向けて前記固定部材の内径が段階的に小さくなっていく形状を有していることを特徴とするマイク。
【請求項６】
請求項１から４のいずれか一項に記載のスピーカ及び請求項５に記載のマイクの少なくとも一方を備えることを特徴とする電子機器。
【発明の詳細な説明】
【技術分野】
【０００１】
本発明は、例えば携帯電話機等の電子機器並びにこのような電子機器が備えるスピーカ及びマイクの技術分野に関する。
【背景技術】
【０００２】
携帯電話機等の電子機器には、音声通話時の音声又は動画ファイル若しくは音楽ファイル等の再生時の音声を出力するためのスピーカ（或いは、レシーバ）が搭載されている。スピーカは、例えば、磁石が実装されるベース部分及び当該ベース部分を取り囲む側壁部分を含むフレームと、コイルが実装され且つフレームのベース部分上に設置される振動板と、フレームのベース部分と共に振動板を挟み込むことで振動板をフレームに対して安定的に固定すると共にフレームの側壁部分に沿って配置される樹脂性の又は金属製のリングと、振動板を含むフレーム内部（つまり、スピーカ内部）の保護のためにフレームにかぶせられるキャップとを備えている。
【０００３】
近年、電子機器の利便性の向上のために、防水仕様の電子機器の普及が進んでいる。防水仕様の電子機器に対しては、防水仕様のスピーカが搭載されることが多い。スピーカの防水仕様を実現するための構成の一例として、リングとキャップとの間の接触面の隙間を接着材によって埋める構成があげられる。
【先行技術文献】
【特許文献】
【０００４】
【特許文献１】特開平８−１４９１９０号公報
【発明の概要】
【発明が解決しようとする課題】
【０００５】
一方で、防水仕様と合わせて、電子機器に対する小型化及び薄型化の要請は依然として強いものがある。小型化及び薄型化の要請に合わせて、スピーカが備えるリングもまた小型化及び薄型化が進んでいる。しかしながら、スピーカが備えるリングの小型化及び薄型化は、リングとキャップとの間の接触面の面積の減少につながってしまう。防水仕様のスピーカの場合、振動板等は防水対応となっており、キャップ内に水が浸入したとしても問題はない。しかし、その水がリングとキャップとの隙間から電子機器内部に侵入してしまうことは、電子機器内部に備えた回路等に影響を与える恐れがあることから望ましくない。したがって、リングとキャップとの間の接触面の面積はできるだけ広くとることで、当該接触面での密着による水密を実現することが重要となっている。
【０００６】
ここで、リングの外径を維持したままリングの内径を一律に小さくする（つまり、リング幅を一律に太くする）ことで、リングとキャップとの間の接着面の面積を広げ、結果として、リングとキャップとの間の良好な密着を実現する対応策が考えられる。しかしながら、リングの内径を一律に広げることで、リングとキャップとの間の接触面の面積のみならず、リングと振動板との間の接触面の面積も同様に広がってしまう。この場合、振動板の振動領域が狭くなってしまうことに起因してスピーカの音圧が低下してしまう。
【０００７】
尚、スピーカに限らず、マイクについても同様の技術的な問題が生ずる。
【０００８】
本発明が解決しようとする課題には上記のようなものが一例として挙げられる。本発明は、例えばリング等の固定部材とキャップ等の保護部材との間の良好な密着を実現することが可能なスピーカ及びマイク、並びにこのようなスピーカを備える電子機器を提供することを目的とする。
【課題を解決するための手段】
【０００９】
上記課題は、フレームと、振動板と、固定部材と、保護部材とを備えるスピーカによって解決され得る。振動板は、フレーム上に設置される。固定部材は、振動板の周縁をフレームに対して固定させるループ状の部材である。保護部材は、固定部材に密着されることで、固定部材の内周側から外周側への水密を確保する。保護部材と固定部材との間の接触面積は、振動板と固定部材との間の接触面積よりも大きい。
【００１０】
上記課題は、フレームと、振動板と、固定部材と、保護部材とを備えるマイクによって解決され得る。振動板は、フレーム上に設置される。固定部材は、振動板の周縁をフレームに対して固定させるループ状の部材である。保護部材は、固定部材に密着されることで、固定部材の内周側から外周側への水密を確保する。保護部材と固定部材との間の接触面積は、振動板と固定部材との間の接触面積よりも大きい。
【００１１】
上記課題は、上記スピーカ及び上記マイクの少なくとも一方を備える電子機器によって解決され得る。
【発明の効果】
【００１２】
以上説明したスピーカ、マイク及び電子機器によれば、リング等の固定部材及びフレームとキャップ等の保護部材との間の良好な接着を実現することができる。
【図面の簡単な説明】
【００１３】
【図１】開状態にある場合の、本実施形態の携帯電話機のフロント側部分の外観を示す斜視図である。
【図２】開状態にある場合の、本実施形態の携帯電話機のリア側部分の外観を示す斜視図である。
【図３】閉状態にある場合の、本実施形態の携帯電話機の外観を示す斜視図及び側面図である。
【図４】スピーカの第１構成例を示す平面透視図及び断面図である。
【図５】スピーカの比較例を示す断面図である。
【図６】スピーカの第２構成例を示す断面図である。
【図７】スピーカの第３構成例を示す断面図である。
【図８】スピーカの第４構成例を示す断面図である。
【図９】スピーカの第５構成例を示す断面図である。
【図１０】スピーカの第６構成例を示す断面図である。
【図１１】スピーカの第７構成例を示す平面透視図及び断面図である。
【図１２】スピーカの第８構成例を示す平面透視図及び断面図である。
【発明を実施するための形態】
【００１４】
以下、実施形態を、図面に基づいて説明する。尚、以下の説明では、電子機器の一例としての携帯電話機を用いて説明を進める。但し、携帯電話機に限らず、その他の各種電子機器（例えば、ＰＤＡや、ミニパソコンや、ノートパソコンや、デスクトップパソコンや、ポータブルオーディオプレーヤや、ポータブル通信機器や、ナビゲーション装置等）に対して、後述する構成が適用されてもよい。言い換えれば、スピーカを備える任意の電子機器に対して、後述する構成が適用されてもよい。
【００１５】
（１）携帯電話機の外観
図１から図３を参照して、本実施形態の携帯電話機１の外観について説明する。図１は、開状態にある場合の、本実施形態の携帯電話機１のフロント側部分の外観を示す斜視図である。図２は、開状態にある場合の、本実施形態の携帯電話機１のリア側部分の外観を示す斜視図である。図３は、閉状態にある場合の、本実施形態の携帯電話機１の外観を示す斜視図及び側面である。
【００１６】
尚、以下では、折り畳み式の携帯電話機１を用いて説明を進める。しかしながら、その他の形状を有する携帯電話機（例えば、ストレート型の携帯電話機、スライド型の携帯電話機又はタッチパネルを搭載したスレート型の携帯電話機等）に対して、後述する構成が適用されてもよい。また、図１から図３では、本実施形態の携帯電話機１の説明に必要な構成を選択的に明示している。従って、本実施形態の携帯電話機１は、携帯電話機としての機能の実現に好ましい不図示の他の構成を適宜備えていてもよい。
【００１７】
図１及び図２に示すように、携帯電話機１は、表示側装置１０と、操作側装置２０とを備えている。尚、図１及び図２は、折り畳まれていない状態（つまり、開状態）の携帯電話機１を示している。
【００１８】
図１に示すように、表示側装置１０は、そのフロント側（言い換えれば、内側ないしは表側）に、メインディスプレイ１１と、受話口１４とを備えている。メインディスプレイ１１は、任意の情報（例えば、文字や画像や図柄等）を表示することができる。例えば、メインディスプレイ１１は、現在の時刻や携帯電話機１の充電状況や携帯電話機１の電波の受信状態や発着信の履歴やアドレス帳やメール等を表示することができる。尚、メインディスプレイ１１は、例えば液晶ディスプレイや有機ＥＬディスプレイ等である。受話口１４は、その内側にスピーカ１５を備えている。携帯電話機１のユーザは、スピーカ１５から出力される音声を聞き取ることができる。
【００１９】
同様に、図１に示すように、操作側装置２０は、そのフロント側に、複数の操作ボタン２１と、送話口２２とを備えている。複数の操作ボタン２１は、ユーザによって操作可能であって、例えば数字ボタンや、電源ボタンや、通話ボタンや、メールボタンや、十字ボタン等を含む。送話口２２は、その内側にマイク２３を備えている。携帯電話機１のユーザは、マイク２３を介して音声を携帯電話機１に入力することができる。
【００２０】
一方で、図２に示すように、操作側装置２０は、そのリア側に、例えば画像ないしは動画を撮影するためのカメラ２４や、カメラ２４で撮影した動画の音声や携帯電話機１内部に蓄積された若しくはネットワーク経由でダウンロードされた音楽ファイル若しくは動画ファイル等の音声等を出力するためのスピーカ２５や、不図示の充電池や、充電池を覆う電池蓋２６や、充電池の充電を行うための金属製の充電端子２７等を備えている。
【００２１】
図１及び図２に示すように、本実施形態の携帯電話機１は、図中の矢印の方向に沿って表示側装置１０を操作側装置２０に対して折り畳むことが可能な折り畳み式の携帯電話機１である。その結果、携帯電話機１は、図３（ａ）に示すように、表示側装置１０が備えるメインディスプレイ１１と操作側装置２０が備える操作ボタン２１とが対向するように折り畳まれた状態（つまり、閉状態）となる。
【００２２】
図３（ｂ）に示すように、閉状態の携帯電話機１の表示側装置１０は、そのリア側の表面を外部に露出させていてもよい。一方で、閉状態の携帯電話機１の表示側装置１０は、そのフロント側の表面（つまり、メインディスプレイ１１及び受話口１４）を外部に露出させていなくともよい。但し、閉状態の携帯電話機１の表示側装置１０は、そのリア側の表面を外部に露出させていなくともよいし、そのフロント側の表面を外部に露出させていてもよい。
【００２３】
同様に、図３（ｃ）に示すように、閉状態の携帯電話機１の操作側装置２０は、そのリア側の表面（つまり、カメラ２４、スピーカ２５、電池蓋２６及び充電端子２７）を外部に露出させている。一方で、閉状態の携帯電話機１の操作側装置２０は、そのフロント側の表面（つまり、操作ボタン２１及び送話口２２）を外部に露出させていなくともよい。但し、閉状態の携帯電話機１の操作側装置２０は、そのリア側の表面を外部に露出させていなくともよいし、そのフロント側の表面を外部に露出させていてもよい。
【００２４】
（２）スピーカの構成
図４から図１２を参照して、本実施形態の携帯電話機１が備えるスピーカ１５の構成について説明を進める。尚、以下では、スピーカ１５に着目して説明を進めるが、スピーカ２５も同様の構成を有していてもよい。
【００２５】
（２−１）スピーカの第１構成例
図４を参照して、第１構成例のスピーカ１５ａについて説明する。図４（ａ）は、スピーカ１５を、携帯電話機１の表示側装置１０のフロント側の表面から観察した場合の平面透視図を示している。図４（ｂ）は、図４（ａ）に示すスピーカ１５のＩＶ−ＩＶ’断面図を示している。
【００２６】
図４（ａ）及び図４（ｂ）に示すように、第１構成例のスピーカ１５ａは、磁石１５５が配置されるためのスペースを有するベース部分１５１１と、当該ベース部分１５１１を取り囲むと共に当該ベース部分１５１１からスピーカ１５ａの厚み方向（具体的には、図４（ｂ）の上下方向）に突き出た側壁部分１５１２とを備えるフレーム１５１を備えている。フレーム１５１上には、振動板１５３が、振動板１５３の周縁部分が側壁部分１５１２に沿うように配置される。従って、フレーム１５１（つまり、ベース部分１５１１及び側壁部分１５２２）は、振動板１５３の形状に合わせた形状を有していることが好ましい。図４（ａ）に示す例では、フレーム１５１（つまり、ベース部分１５１１及び側壁部分１５２２）は、楕円形状を有する振動板１５３の形状に合わせて、楕円形状を有している。但し、フレーム１５１の形状が楕円形状に限定されることはなく、振動板１５３の形状に合わせた任意の形状（例えば、円形状や矩形の形状等）をフレーム１５１の形状として採用してもよい。フレーム１５１は、例えば樹脂から形成されていてもよいし、金属から形成されていてもよいし、木材から形成されていてもよいし、その他の材料から形成されていてもよい。
【００２７】
振動板１５３は、磁石１５５を取り囲む位置に又は磁石１５５と隣接する領域にコイル１５６を備えている。コイル１５６には、スピーカ１５ａの外部に配置される不図示の音声出力回路から、不図示の電気配線を介して、音声信号に応じた電流信号が供給される。その結果、コイル１５６と磁石１５５との間に電磁力が作用する。このため、コイル１５６が振動すると共に、当該コイル１５６の振動が振動板１５３の振動を引き起こす。従って、スピーカ１５ａから音声が出力される。振動板１５３は、例えば紙から形成されていてもよいし、樹脂から形成されてもよいし、金属から形成されていてもよいし、その他の材料から形成されていてもよい。
【００２８】
振動板１５３は、リング１５２ａによってフレーム１５１（言い換えれば、フレーム１５１のベース部分１５１１）に圧着固定されている。リング１５２ａは、振動板１５３とリング１５２ａとの間の隙間又は振動板１５３とベース部分１５１１との間の隙間から振動板１５３の内部（つまり、磁石１５５やコイル１５６が配置されている領域）に対して水分等が侵入しない程度に、振動板１５３をベース部分１５１１に対して圧着固定することが好ましい。つまり、リング１５２ａは、所望の防水性能を確保したスピーカ１５ａを実現することができる程度に、振動板１５３をベース部分１５１１に対して圧着固定することが好ましい。リング１５２ａは、リング状の形状（或いは、任意の形状を有する閉ループ状の形状）を有していることが好ましい。リング１５２ａは、その外周がベース１５１の側壁部分１５１２と隣接する又は密着するように配置されることが好ましい。リング１５２ａの高さ（つまり、スピーカ１５の厚み方向に沿った高さ）は、ベース１５１の側壁部分１５１２の高さと概ね等しくなることが好ましい。リング１５２ａは、例えば樹脂から形成されていてもよいし、金属から形成されていてもよいし、その他の材料から形成されていてもよい。
【００２９】
リング１５２ａの頂部（つまり、スピーカ１５ａの厚み方向における最外部）及び側壁部分１５１２の頂部の夫々には、接着材１５７を介してキャップ１５４が貼り付けられている。言い換えれば、フレーム１５１の側壁部分１５１２の外周に嵌合するようなキャップ形状を有するキャップ１５４が、接着材１５７を介してリング１５２ａ及び側壁部分１５１２に貼り付けられている。キャップ１５４は、キャップ１５４とリング１５２ａとの間の隙間又はキャップ１５４と側壁部分１５１２との間の隙間からスピーカ１５ａの奥側（つまり、図４（ｂ）に示すスピーカ１５ａの下部の領域）に対して水分等が侵入しない程度に、リング１５２ａ及び側壁部分１５１２に貼り付けられている（或いは、圧着固定されている）ことが好ましい。キャップ１５４は、例えば、スピーカ１５ａの内部の構造物（例えば、振動板１５３等）を外部の衝撃等から保護する。キャップ１５４の一部（より具体的には、スピーカ１５ａの厚み方向に沿って振動板１５３の中心部と対向する部分）は、開口を有していることが好ましい。これにより、振動板１５３の振動によって発生した音声が、開口を介してスピーカ１５ａの外部へ出力される。
【００３０】
第１構成例では、キャップ１５４側（言い換えれば、接着材１５７側であり、スピーカ１５ａの外部側）のリング１５２ａの内径Ｒ１は、振動板１５３側（言い換えれば、ベース部分１５１１側であり、スピーカ１５ａの内部側）のリング１５２ａの内径Ｒ２よりも小さいことが好ましい。振動板１５３側のリング１５２ａの内径Ｒ２は、リング１５２ａが振動板１５３の振動を妨げない状態を実現することができる値に設定されることが好ましい。一方で、キャップ１５４側のリング１５２ａの内径Ｒ１は、リング１５２ａとキャップ１５４との間の良好な接着を維持できる程度の接着面積を実現することができ且つスピーカ１５ａの音声出力の特性に悪影響を与えない値が設定されることが好ましい。尚、振動板１５３と対向するリング１５２ａの外径は、キャップ１５４側のリング１５２ａの外径と同一であることが好ましいが、異なっていてもよい。
【００３１】
加えて、第１構成例のスピーカ１５ａでは、リング１５２ａの内径は、振動板１５３側からキャップ１５４側に向かうにつれて連続的に小さくなっている。より具体的には、第１構成例のスピーカ１５ａでは、リング１５２ａの内径は、振動板１５３側からキャップ１５４側に向かうにつれて、Ｒ２からＲ１に至るまで連続的に小さくなっている。例えば、第１構成例のスピーカ１５ａでは、リング１５２ａの内周側の形状は、いわゆるテーパ形状になっている。尚、リング１５２ａの内径は、振動板１５３側からキャップ１５４側に向かうにつれて同一の割合で小さくなってもよい。つまり、リング１５２ａの内周側の形状は、直線状になっていてもよい。或いは、リング１５２ａの内径は、振動板１５３側からキャップ１５４側に向かうにつれて異なる割合で（或いは、任意の割合で）小さくなってもよい。つまり、リング１５２ａの内周側の形状は、曲線状になっていてもよい。或いは、リング１５２ａの内径が小さくなっていく割合は、リング１５２ａの全ての部分で同一であってもよいし、リング１５２ａの複数部分で夫々異なっていてもよい。
【００３２】
尚、上述したリング１５２ａの内径Ｒ１及び内径Ｒ２（或いは、内径Ｒ（但し、Ｒ１＜Ｒ＜Ｒ２）は、リング１５２ａの全周に渡って均一になっていてもよいし、リング１５２ａの複数部分（具体的には、リング１５２ａの円周のうちの一部と他の一部）で夫々異なっていてもよい（つまり、ばらつきを有していてもよい）。要は、リング１５２ａの全周に渡って内径がＲ１及び内径Ｒ２（或いは、内径Ｒ（但し、Ｒ１＜Ｒ＜Ｒ２）に固定されていなくとも、リング１５２ａとキャップ１５４との間の接着面積Ｓ１がリング１５２ａと振動板１５３との間の接触面積Ｓ２よりも大きくなる状態を実現できるようにリング１５２ａの内周側の形状が所定の形状になっていればよい。つまり、このような状態を満たす場合には、リング１５２ａの内径にばらつきは許容される。
【００３３】
その結果、キャップ１５４と対向するリング１５２ａの表面（つまり、スピーカ１５ａの厚み方向に直交する方向に沿ったリング１５２ａの表面）の面積Ｓ１は、振動板１５３と対向するリング１５２ａの表面の面積Ｓ２よりも大きくなる。言い換えれば、リング１５２ａとキャップ１５４との間の接着面積Ｓ１は、リング１５２ａと振動板１５３との間の接触面積Ｓ２よりも大きくなる。
【００３４】
尚、ここで言う「接着面積」とは、２つの対象物が直接的に接着している場合の接着面積のみならず、間に接着材１５７等を介在させた状態で２つの対象物が接着している場合の接着面積をも意味する広い趣旨である。
【００３５】
以上説明したように、第１構成例のスピーカ１５ａによれば、リング１５２ａとキャップ１５４との間の接着面積Ｓ１が相対的に大きくなる状態を維持することができる。このため、リング１５２ａとキャップ１５４との間の良好な接着（つまり、リング１５２ａ及びフレーム１５１とキャップ１５４との間の良好な接着）を実現することができる。つまり、リング１５２ａとキャップ１５４とがはがれにくくなる。従って、リング１５２ａとキャップ１５４とがはがれてしまうことで水分がスピーカ１５ａの奥側に侵入してしまうことが殆ど又は全くなくなる。つまり、スピーカ１５ａの防水性能を好適に確保することができる。
【００３６】
更に、第１構成例のスピーカ１５ａによれば、リング１５２ａと振動板１５３との間の接触面積Ｓ２が相対的に小さくなる状態を維持することができる。言い換えれば、第１構成例のスピーカ１５ａによれば、リング１５２ａとキャップ１５４との間の接着面積Ｓ１が大きくなる状態を維持しつつも、リング１５２ａと振動板１５３との間の接触面積Ｓ２が相対的に小さくなる状態を維持することができる。更に言い換えれば、本実施形態のスピーカ１５ａによれば、キャップ１５４側のリング１５２ａの内径Ｒ１を小さくしつつも、振動板１５３側のリング１５２ａの内径Ｒ２を小さくしなくともよくなる。このため、リング１５２ａが振動板１５３の振動領域にまで侵入してくることは殆ど又は全くなくなる。つまり、振動板１５３の振動が、リング１５２ａによって妨げられることが殆ど又は全くなくなる。このため、スピーカ１５ａの音圧が低下することは殆ど又は全くなくなる。
【００３７】
ここで、図５を参照して、比較例のスピーカ９５について説明する。ここに、図５は、比較例のスピーカ９５の構成を示す断面図である。尚、第１構成例のスピーカ１５ａと同一の構成については、同一の参照符号を付してその詳細な説明については省略する。
【００３８】
図５に示すよう、比較例のスピーカ９５では、キャップ１５４とリング９５２との間の接触面積Ｓ１が相対的に大きくなる状態を実現するためにキャップ１５４側のリング９５２の内径をＲ１に設定すると共に、振動板１５３側のリング９５２の内径もまたＲ１に設定している。つまり、比較例のスピーカ９５では、キャップ１５４側のリング９５２の内径をＲ１にまで大きくすることに伴って、振動板１５３側のリング９５２の内径もまたＲ１にまで大きくしている。つまり、比較例のスピーカ９５では、キャップ１５４側のリング９５２の内径Ｒ１と、振動板１５３側のリング９５２の内径Ｒ１とが等しくなっている。このため、図５中の振動板１５３の点線部分で示すように、リング９５２が振動板１５３の振動領域にまで侵入してしまいかねない。つまり、比較例のスピーカ９５では、振動板１５３の振動が、リング９５２によって妨げられかねない。このため、スピーカ９５の音圧が低下してしまいかねない。
【００３９】
しかるに、本実施形態のスピーカ１５ａでは、上述したように、キャップ１５４側のリング９５２ａの内径をＲ１にまで大きくする一方で、振動板１５３側のリング９５２ａの内径をＲ２のまま（つまり、Ｒ１よりも小さい値のまま）維持することができる。このため、比較例のスピーカ９５で生ずる技術的な問題点は殆ど又は全く生じない。
【００４０】
加えて、本実施形態のスピーカ１５ａでは、スピーカ１５ａ内部に通常形成されるデッドスペース部分（具体的には、振動板１５３とリング１５２ａとキャップ１５４とに囲まれる空隙部分）に向けてリング１５２を拡大している。このため、スピーカ１５ａ全体としてのサイズを変えることなく、上述したスピーカ１５ａを実現することができる。つまり、スピーカ１５ａ全体としてのサイズを変えることなく、上述した各種効果を享受することができる。
【００４１】
加えて、同一の内径及び外形を維持したままスピーカ１５ａの高さ方向に伸長するリング（例えば、図５に示すリング９５２）を高精度に製造することには多少の技術的な困難が伴う。しかしながら、第１構成例によれば、リング１５２ａの内径に対して多少の自由度が認められるため、リング１５２ａを比較的容易に製造することができる。従って、リング１５ａの製造コストを相対的には低減することができる。
【００４２】
尚、上述の説明では、リング１５２ａの内径を変えることで、リング１５２ａとキャップ１５４との間の接着面積Ｓ１が大きくなる状態を維持しつつも、リング１５２ａと振動板１５３との間の接触面積Ｓ２が相対的に小さくなる状態を維持している。しかしながら、リング１５２ａの内径を変える手法とは異なる他の手法（例えば、リング１５２ａの内径以外の形状を変える手法等）を用いて、リング１５２ａとキャップ１５４との間の接着面積Ｓ１が大きくなる状態を維持しつつも、リング１５２ａと振動板１５３との間の接触面積Ｓ２が相対的に小さくなる状態を維持してもよい。このように構成しても、上述した各種効果を好適に享受することができる。
【００４３】
（２−２）スピーカの第２構成例
図６を参照して、第２構成例のスピーカ１５ｂについて説明する。図６は、第２構成例のスピーカ１５ｂの構成を示す断面図である。尚、第１構成例のスピーカ１５ａと同一の構成については、同一の参照符号を付してその詳細な説明については省略する。
【００４４】
図６に示すように、第２構成例のスピーカ１５ｂは、第１構成例のスピーカ１５ａと同様に、ベース部分１５１１及び側壁部分１５１２を含むフレーム１５１と、振動板１５３と、キャップ１５４と、磁石１５５と、コイル１５６と、接着材１５７を備えている。
【００４５】
第２構成例のスピーカ１５ｂでは、リング１５２ｂの内径は、振動板１５３側からキャップ１５４側に向かうにつれて段階的に小さくなっている。より具体的には、第２構成例のスピーカ１５ｂが備えるリング１５２ｂは、内径がＲ２となるリング部分と、内径がＲ２よりも小さいＲ１となるリング部分とが一体形成されている。つまり、第２構成例のスピーカ１５ｂでは、リング１５２ｂの内周側の形状は、いわゆる２段の段差形状になっていることが好ましい。内径がＲ１となるリング部分がキャップ１５４側に位置する一方で、内径がＲ２となるリング部分は振動板１５３側に位置している。
【００４６】
尚、上述したリング１５２ｂの内径Ｒ１は、リング１５２ｂの全周に渡って均一になっていてもよいし、リング１５２ｂの複数部分（具体的には、リング１５２ａの円周のうちの一部と他の一部）で夫々異なっていてもよい（つまり、ばらつきを有していてもよい）。同様に、上述したリング１５２ｂの内径Ｒ２は、リング１５２ｂの全周に渡って均一になっていてもよいし、リング１５２ｂの複数部分で夫々異なっていてもよい（つまり、ばらつきを有していてもよい）。要は、リング１５２ｂの全周に渡って内径がＲ１となるリング部分と内径がＲ２となるリング部分とを備えていなくとも、リング１５２ｂとキャップ１５４との間の接着面積Ｓ１がリング１５２ｂと振動板１５３との間の接触面積Ｓ２よりも大きくなる状態を実現できるようにリング１５２ｂの内周側の形状が段差形状になっていればよい。つまり、このような状態を満たす場合には、リング１５２ｂの内径にばらつきは許容される。
【００４７】
その結果、キャップ１５４と対向するリング１５２ｂの表面の面積Ｓ１は、振動板１５３と対向するリング１５２ｂの表面の面積Ｓ２よりも大きくなる。言い換えれば、リング１５２ｂとキャップ１５４との間の接着面積Ｓ１は、リング１５２ｂと振動板１５３との間の接触面積Ｓ２よりも大きくなる。従って、第２構成例のスピーカ１５ｂによれば、第１構成例のスピーカ１５ａが享受する効果と同様の効果を好適に享受することができる。
【００４８】
（２−３）スピーカの第３構成例
図７を参照して、第３構成例のスピーカ１５ｃについて説明する。図７は、第３構成例のスピーカ１５ｃの構成を示す断面図である。尚、第１構成例のスピーカ１５ａ又は第２構成例のスピーカ１５ｂと同一の構成については、同一の参照符号を付してその詳細な説明については省略する。
【００４９】
図７に示すように、第３構成例のスピーカ１５ｃは、第１構成例のスピーカ１５ａと同様に、ベース部分１５１１及び側壁部分１５１２を含むフレーム１５１と、振動板１５３と、キャップ１５４と、磁石１５５と、コイル１５６と、接着材１５７を備えている。
【００５０】
第３構成例のスピーカ１５ｃでは、リング１５２ｃの内径は、振動板１５３側からキャップ１５４側に向かうにつれて段階的に小さくなっている。より具体的には、第３構成例のスピーカ１５ｃが備えるリング１５２ｃは、内径がＲ２となるリング部分と、内径がＲ２よりも小さいＲ３となるリング部分と、内径がＲ２及びＲ３よりも小さいＲ１となるリング部分とが一体形成されている。つまり、第３構成例のスピーカ１５ｃでは、リング１５２ｃの内周側の形状は、いわゆる３段の段差形状になっていることが好ましい。内径がＲ１となるリング部分がキャップ１５４側に位置する一方で、内径がＲ２となるリング部分は振動板１５３側に位置している。
【００５１】
尚、上述したリング１５２ｃの内径Ｒ１、内径Ｒ２又は内径Ｒ３は、リング１５２ｃの全周に渡って均一になっていてもよいし、リング１５２ｃの複数部分（具体的には、リング１５２ａの円周のうちの一部と他の一部）で夫々異なっていてもよい（つまり、ばらつきを有していてもよい）。要は、リング１５２ｃの全周に渡って内径がＲ１となるリング部分と内径がＲ２となるリング部分と内径がＲ３となるリング部分とを備えていなくとも、リング１５２ｃとキャップ１５４との間の接着面積Ｓ１がリング１５２ｃと振動板１５３との間の接触面積Ｓ２よりも大きくなる状態を実現できるようにリング１５２ｃの内周側の形状が段差形状になっていればよい。つまり、このような状態を満たす場合には、リング１５２ｃの内径にばらつきは許容される。
【００５２】
その結果、キャップ１５４と対向するリング１５２ｃの表面の面積Ｓ１は、振動板１５３と対向するリング１５２ｃの表面の面積Ｓ２よりも大きくなる。言い換えれば、リング１５２ｃとキャップ１５４との間の接着面積Ｓ１は、リング１５２ｃと振動板１５３との間の接触面積Ｓ２よりも大きくなる。従って、第３構成例のスピーカ１５ｃによれば、第１構成のスピーカ１５ａが享受する効果と同様の効果を好適に享受することができる。
【００５３】
加えて、第３構成例のスピーカ１５ｃによれば、図７中点線で示すように振動板１５３が振動した場合であっても、振動板１５３がリング１５２ｃに衝突してしまう状態が発生することを好適に抑制することができる。つまり、第３構成例のスピーカ１５ｃでは、リング１５２ｃの段差が多段になっているため、リング１５２ｃが振動板１５３の振動範囲内に入らなくなるように構成し易くなる。従って、振動板１５３の振動が、リング１５２ｃによって妨げられることは殆ど又は全くなくなる。このため、スピーカ１５ｃの音圧が低下してしまうことは殆ど又は全くなくなる。
【００５４】
尚、図７では、リング１５２ｃの内周側の形状が３段の段差形状になっている例を示している。しかしながら、リング１５２ｃの内周側の形状が更に多段（つまり、４段以上）の段か形状になっていてもよい。
【００５５】
（２−４）スピーカの第４構成例
図８を参照して、第４構成例のスピーカ１５ｄについて説明する。図８は、第４構成例のスピーカ１５ｄの構成を示す断面図である。尚、第１構成例のスピーカ１５ａから第３構成例のスピーカ１５ｃと同一の構成については、同一の参照符号を付してその詳細な説明については省略する。
【００５６】
図８に示すように、第４構成例のスピーカ１５ｂは、第１構成例のスピーカ１５ａと同様に、ベース部分１５１１及び側壁部分１５１２を含むフレーム１５１と、振動板１５３と、キャップ１５４と、磁石１５５と、コイル１５６と、接着材１５７を備えている。加えて、第４構成例のスピーカ１５ｄは、第１構成例のスピーカ１５ａと同様に、振動板１５３側からキャップ１５４側に向かうにつれて内径が連続的に小さくなっているリング１５２ｄを備えている。
【００５７】
第４構成例のスピーカ１５ｃでは、第１構成例のスピーカ１５ａとは異なり、リング１５２ｄが複数のリング部分に分割されている。具体的には、リング１５２ｄは、振動板１５３側からキャップ１５４側に向かうにつれて内径がＲ２からＲ３（但し、Ｒ３＜Ｒ２）に至るまで連続的に小さくなっているリング部分１５２１ｄと、振動板１５３側からキャップ１５４側に向かうにつれて内径がＲ３からＲ１（但し、Ｒ１＜Ｒ３）に至るまで連続的に小さくなっているリング部分１５２２ｄとを含む。つまり、第４構成例のスピーカ１５ｄは、リング１５２ｄが複数のリング部分（つまり、複数の部品）を含むという点で、リング１５２ａが一体形成されている第１構成例のスピーカ１５ａとは異なっている。
【００５８】
このような第４構成例のスピーカ１５ｄであっても、第１構成例のスピーカ１５ａが享受する効果と同様の効果を好適に享受することができる。
【００５９】
（２−５）スピーカの第５構成例
図９を参照して、第５構成例のスピーカ１５ｅについて説明する。図９は、第５構成例のスピーカ１５ｅの構成を示す断面図である。尚、第１構成例のスピーカ１５ａから第４構成例のスピーカ１５ｄと同一の構成については、同一の参照符号を付してその詳細な説明については省略する。
【００６０】
図９に示すように、第５構成例のスピーカ１５ｅは、第２構成例のスピーカ１５ｂと同様に、ベース部分１５１１及び側壁部分１５１２を含むフレーム１５１と、振動板１５３と、キャップ１５４と、磁石１５５と、コイル１５６と、接着材１５７を備えている。加えて、第５構成例のスピーカ１５ｅは、第２構成例のスピーカ１５ｂと同様に、内周側の形状が２段の段差形状になっているリング１５２ｅを備えている。
【００６１】
第５構成例のスピーカ１５ｅでは、第２構成例のスピーカ１５ｂとは異なり、リング１５２ｅが複数のリング部分に分割されている。具体的には、リング１５２ｅは、内径がＲ１となるリング部分１５２１ｅと、内径がＲ２となるリング部分１５２２ｅとを含む。つまり、第５構成例のスピーカ１５ｅは、リング１５２ｅが複数のリング部分（つまり、複数の部品）を含むという点で、リング１５２ｂが一体形成されている第２構成例のスピーカ１５ｂとは異なっている。
【００６２】
このような第５構成例のスピーカ１５ｅであっても、第２構成例のスピーカ１５ｂが享受する効果と同様の効果を好適に享受することができる。
【００６３】
加えて、第５構成例によれば、内径が途中で変わりながらスピーカ１５ｅの高さ方向に伸長する複雑な金型を使用してリング１５２ｅを製造しなくともよくなる。つまり、第５構成例によれば、内径が異なる複数種類のリング部分１５２１ｅ及び１５２２ｅを製造すれば、内周側の形状が段差形状となるリング１５２ｅを製造することができる。従って、リング１５２ｅを比較的容易に製造することができる。
【００６４】
（２−６）スピーカの第６構成例
図１０を参照して、第６構成例のスピーカ１５ｆについて説明する。図１０は、第６構成例のスピーカ１５ｆの構成を示す断面図である。尚、第１構成例のスピーカ１５ａから第５構成例のスピーカ１５ｅと同一の構成については、同一の参照符号を付してその詳細な説明については省略する。
【００６５】
図１０に示すように、第６構成例のスピーカ１５ｆは、第３構成例のスピーカ１５ｃと同様に、ベース部分１５１１及び側壁部分１５１２を含むフレーム１５１と、振動板１５３と、キャップ１５４と、磁石１５５と、コイル１５６と、接着材１５７を備えている。加えて、第６構成例のスピーカ１５ｆは、第３構成例のスピーカ１５ｃと同様に、内周側の形状が３段の段差形状になっているリング１５２ｆを備えている。
【００６６】
第６構成例のスピーカ１５ｆでは、第３構成例のスピーカ１５ｃとは異なり、リング１５２ｆが複数のリング部分に分割されている。具体的には、リング１５２ｆは、内径がＲ１となるリング部分１５２１ｆと、内径がＲ３となるリング部分１５２２ｆと、内径がＲ２となるリング部分１５２３ｆとを含む。つまり、第６構成例のスピーカ１５ｆは、リング１５２ｆが複数のリング部分（つまり、複数の部品）を含むという点で、リング１５２ｃが一体形成されている第３構成例のスピーカ１５ｃとは異なっている。
【００６７】
このような第６構成例のスピーカ１５ｆであっても、第３構成例のスピーカ１５ｃが享受する効果と同様の効果を好適に享受することができる。
【００６８】
加えて、第６構成例によれば、内径が途中で変わりながらスピーカ１５ｆの高さ方向に伸長する複雑な金型を使用してリング１５２ｆを製造しなくともよくなる。つまり、第６構成例によれば、内径が異なる複数種類のリング部分１５２１ｆ、１５２２ｆ及び１５２３ｆを製造すれば、内周側の形状が段差形状となるリング１５２ｆを製造することができる。従って、リング１５２ｆを比較的容易に製造することができる。
【００６９】
（２−７）スピーカの第７構成例
図１１を参照して、第７構成例のスピーカ１５ｇについて説明する。図１１は、第７構成例のスピーカ１５ｇの構成を示す平面透視図及び断面図である。尚、第１構成例のスピーカ１５ａから第６構成例のスピーカ１５ｆと同一の構成については、同一の参照符号を付してその詳細な説明については省略する。
【００７０】
図１１（ａ）から図１１（ｃ）に示すように、第７構成例のスピーカ１５ｇは、第１構成例のスピーカ１５ａと同様に、ベース部分１５１１及び側壁部分１５１２を含むフレーム１５１と、振動板１５３と、キャップ１５４と、磁石１５５と、コイル１５６と、接着材１５７を備えている。
【００７１】
第７構成例のスピーカ１５ｇでは、図１１（ａ）に示されるスピーカ１５ｇのＸＩ−ＸＩ’断面図である図１１（ｂ）に示すように、リング１５２ｇの一部分（具体的には、リング１５２ｇの円周のうちの一部）において、リング１５２ｇの内径が、振動板１５３側からキャップ１５４側に向かうにつれてＲ２からＲ１に至るまで連続的に小さくなっている。
【００７２】
一方で、第７構成例のスピーカ１５ｇでは、図１１（ａ）に示されるスピーカ１５ｇのＸＩ’’−ＸＩ’’’断面図である図１１（ｃ）に示すように、リング１５２ｇの他の一部分（具体的には、リング１５２ｇの円周のうちの他の一部）において、リング１５２ｇの内径はＲ２のまま固定されている。つまり、第７構成例のスピーカ１５ｇでは、リング１５２ｇの他の一部分において、リング１５２ｇの内径が、振動板１５３側からキャップ１５４側に向かうにつれてＲ２からＲ１に至るまで連続的に小さくなっていなくともよい。
【００７３】
つまり、第７構成例のスピーカ１５ｇは、リング１５２ｇの円周のうちの一部において内径が連続的に小さくなっているという点で、リング１５２の全周に渡って内径が連続的に又は段階的に小さくなっている第１構成例のスピーカ１５ａから第６構成例のスピーカ１５ｆとは異なっている。
【００７４】
このような第７構成例のスピーカ１５ｇであっても、リング１５２ｇの一部分において、リング１５２ｇとキャップ１５４との間の接着面積Ｓ１が相対的に大きくなる状態を維持することができる。このため、リング１５２ｇとキャップ１５４との間の良好な接着を想到に実現することができる。従って、第１構成例のスピーカ１５ａが享受する効果と同様の効果を相応に享受することができる。
【００７５】
尚、内径が連続的に又は段階的に小さくなるリング部分は、フレーム１５１の外縁部分（つまり、キャップ１５４の内縁部分であって、図１１（ａ）の矩形状部分）とフレーム１５１の側壁部分１５１２との間の距離が相対的に短い箇所に設けられることが好ましい。フレーム１５１の外縁部分とフレーム１５１の側壁部分１５１２との間の距離が相対的に短い箇所の一例として、図１１（ａ）に示す一点鎖線ＸＩ−ＸＩ’の両端付近や、当該一点鎖線ＸＩ−ＸＩ’と直交すると共にスピーカ１５ｇの中心を通過する仮想的な線の両端付近があげられる。このような箇所に内径が連続的に又は段階的に小さくなるリング部分を設ければ、フレーム１５１の強度が相対的に弱くなる箇所に相対的に幅が広いリング１５２ｇを配置することができる。このため、スピーカ１５ｇの強度を相対的に増加させることができる。
【００７６】
或いは、内径が連続的に又は段階的に小さくなるリング部分は、コイル１５６に対して電流信号を供給する不図示の電気配線が配置される箇所又は当該箇所の隣接部分に設けられることが好ましい。電気配線が配置される場合には、フレーム１５１に貫通孔が開けられることで当該貫通孔を介して電気配線がとりまわされることが多い。従って、このような箇所に内径が連続的に又は段階的に小さくなるリング部分を設ければ、貫通孔の影響でフレーム１５１の強度が相対的に弱くなる箇所に相対的に幅が広いリング１５２ｇを配置することができる。このため、スピーカ１５ｇの強度を相対的に増加させることができる。
【００７７】
また、第７構成例のスピーカ１５ｇでは、内周側の形状が第１構成例のリング１５２ａと同様の形状となるリング１５２ｇを採用する例について説明している。しかしながら、第７構成例のスピーカ１５ｇでは、内周側の形状が２段以上の段差形状となるリング１５２ｇ（つまり、第２構成例のリング１５２ｂから第６構成例のリング１５２ｆと同様の形状となるリング１５２ｇ）を採用してもよい。
【００７８】
（２−８）スピーカの第８構成例
図１２を参照して、第８構成例のスピーカ１５ｈについて説明する。図１２は、第８構成例のスピーカ１５ｈの構成を示す平面透視図及び断面図である。尚、第１構成例のスピーカ１５ａから第７構成例のスピーカ１５ｇと同一の構成については、同一の参照符号を付してその詳細な説明については省略する。
【００７９】
図１２（ａ）から図１２（ｃ）に示すように、第８構成例のスピーカ１５ｈは、第１構成例のスピーカ１５ａと同様に、ベース部分１５１１及び側壁部分１５１２を含むフレーム１５１と、振動板１５３と、キャップ１５４と、磁石１５５と、コイル１５６と、接着材１５７を備えている。
【００８０】
第８構成例のスピーカ１５ｈでは、図１２（ａ）に示されるスピーカ１５ｈのＸＩＩ−ＸＩＩ’断面図である図１２（ｂ）に示すように、振動板１５３の一部（言い換えれば、振動板１５３の周縁のうちの一部）に対応する領域において、振動板１５３側からキャップ１５４側に向かうにつれて内径がＲ２からＲ１に至るまで連続的に小さくなるリング１５２ｈが配置される。
【００８１】
一方で、第８構成例のスピーカ１５ｈでは、図１２（ａ）に示されるスピーカ１５ｈのＸＩＩ’’−ＸＩＩ’’’断面図である図１２（ｃ）に示すように、振動板１５３の他の一部（言い換えれば、振動板１５３の周縁のうちの他の一部）に対応する領域においてリング１５２ｈが配置されなくともよい。
【００８２】
つまり、第８構成例のスピーカ１５ｇは、リング１５２ｇが振動板１５３の周縁部分のうちの一部に配置されているという点で、リング１５２が振動板１５３の周縁部分の全体に渡って配置されている第１構成例のスピーカ１５ａから第７構成例のスピーカ１５ｇとは異なっている。
【００８３】
このような第８構成例のスピーカ１５ｈであっても、振動板１５３の一部に対応する一部の領域において、リング１５２ｈとキャップ１５４との間の接着面積Ｓ１が相対的に大きくなる状態を維持することができる。このため、リング１５２ｈとキャップ１５４との間の良好な接着を想到に実現することができる。従って、第１構成例のスピーカ１５ａが享受する効果と同様の効果を相応に享受することができる。
【００８４】
尚、リング１５２ｈは、フレーム１５１の外縁部分（つまり、キャップ１５４の内縁部分であって、図１２（ａ）の矩形状部分）とフレーム１５１の側壁部分１５１２との間の距離が相対的に短い箇所に設けられることが好ましい。フレーム１５１の外縁部分とフレーム１５１の側壁部分１５１２との間の距離が相対的に短い箇所の一例として、図１２（ａ）に示す一点鎖線ＸＩＩ−ＸＩＩ’の両端付近や、当該一点鎖線ＸＩＩ−ＸＩＩ’と直交すると共にスピーカ１５ｈの中心を通過する仮想的な線の両端付近があげられる。このような箇所にリング１５２ｈを設ければ、フレーム１５１の強度が相対的に弱くなる箇所にリング１５２ｈを配置することができる。このため、スピーカ１５ｈの強度を相対的に増加させることができる。
【００８５】
或いは、リング１５２ｈは、コイル１５６に対して電流信号を供給する不図示の電気配線が配置される箇所又は当該箇所の隣接部分に設けられることが好ましい。電気配線が配置される場合には、フレーム１５１に貫通孔が開けられることで当該貫通孔を介して電気配線がとりまわされることが多い。従って、このような箇所にリング１５２ｈを設ければ、貫通孔の影響でフレーム１５１の強度が相対的に弱くなる箇所にリング１５２ｈを配置することができる。このため、スピーカ１５ｈの強度を相対的に増加させることができる。
【００８６】
また、第８構成例のスピーカ１５ｈでは、内周側の形状が第１構成例のリング１５２ａと同様の形状となるリング１５２ｈを採用する例について説明している。しかしながら、第８構成例のスピーカ１５ｈでは、内周側の形状が２段以上の段差形状となるリング１５２ｈ（つまり、第２構成例のリング１５２ｂから第６構成例のリング１５２ｆと同様の形状となるリング１５２ｈ）を採用してもよい。
【００８７】
尚、上述した説明では、スピーカ１５として、ダイナミック型のスピーカを用いている。しかしながら、他の方式を採用するスピーカであっても、振動板１５３を固定するリングないしは任意の固定部材について上述した構成を採用してもよい。このような構成を採用しても、上述した各種効果を相応に享受することができる。
【００８８】
また、上述した構成は、スピーカ１５に限らず、例えばムービング・コイル型の又はリボン型のマイク（いわゆる、ダイナミック型のマイク）に対しても適用してもよい。より具体的には、ムービング・コイル型の又はリボン型のマイク（いわゆる、ダイナミック型のマイク）が振動板又は薄金属膜を固定するリングないしは任意の固定部材を採用している場合には、上述した構成を採用してもよい。このような構成を採用しても、上述した各種効果を相応に享受することができる。また、ダイナミック型のマイクのみならず、例えばコンデンサ型のマイクであっても、ダイヤフラムを固定するリングないしは任意の固定部材に対して上述した構成を採用することで、上述した各種効果を相応に享受することができる。
【００８９】
本発明は、上述した実施形態に限られるものではなく、請求の範囲及び明細書全体から読み取れる発明の要旨或いは思想に反しない範囲で適宜変更可能であり、そのような変更を伴なうスピーカ、マイク及び電子機器もまた本発明の技術的範囲に含まれるものである。
【符号の説明】
【００９０】
１  携帯電話機
１０  表示側装置
１５、２５  スピーカ
１５１  フレーム
１５１１  ベース部分
１５１２  側壁部分
１５２  リング
１５３  振動板
１５４  キャップ
１５５  磁石
１５６  コイル
１５７  接着剤
【図１】
0005643981.tif 000002
【図２】
0005643981.tif 000003
【図３】
0005643981.tif 000004
【図４】
0005643981.tif 000005
【図５】
0005643981.tif 000006
【図６】
0005643981.tif 000007
【図７】
0005643981.tif 000008
【図８】
0005643981.tif 000009
【図９】
0005643981.tif 000010
【図１０】
0005643981.tif 000011
【図１１】
0005643981.tif 000012
【図１２】
0005643981.tif 000013